(57)【要約】  【課題】製氷皿の温度を検知する温度センサを有しない自動製氷装置を備えた冷凍冷蔵庫において、製氷皿への給水動作から製氷完了までの時間を冷蔵庫の運転状況で補正して決定することで製氷時間の適正化を図り、タイムリーな氷を供給することを目的とする。  【解決手段】製氷時間は、圧縮機１６の運転積算時間と、温調ダイヤル設定３９と、除霜の有無と、扉開閉検知スイッチ４６、４７、４８の開時間と、製氷ユニット６０を設置する室内の温度検出手段４５とのいずれかの要素の組み合わせによって補正し決定するので、製氷時間の適正化を行うことができ、タイムリーな氷を供給することができる。【選択図】図１
2007285641.tif 000002
【特許請求の範囲】
【請求項１】
外箱と内箱間に断熱材を充墳してなる断熱箱体の庫内を断熱仕切体により区画してなる冷蔵室と野菜室と冷凍室と製氷室と、圧縮機と冷気を生成する冷却器と、生成した冷気を強制循環する送風機と、前記冷凍室の内部に設置された庫内温度を検出する温度検出手段と、温調ダイヤル装置と、扉開閉検知スイッチと、制御装置と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備え、前記自動製氷装置の前記製氷皿に給水されてから離氷するまでの製氷時間は、前記圧縮機の運転積算時間と、温調ダイヤル設定と、除霜の有無と、扉開閉検知スイッチの開時間と、製氷ユニットを設置する室内の温度検出手段とのいずれかの要素の組み合わせによって補正し決定することを特徴とする冷凍冷蔵庫。
【請求項２】
外箱と内箱間に断熱材を充墳してなる断熱箱体の庫内を断熱仕切体により区画してなる冷蔵室と野菜室と冷凍室と製氷室と、圧縮機と冷気を生成する冷却器と、生成した冷気を強制循環する送風機と、前記送風機で循環する冷気を調整するダンパー装置と、前記冷凍室の内部に設置された庫内温度を検出する温度検出手段と、温調ダイヤル装置と、扉開閉検知スイッチと、制御装置と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備え、前記自動製氷装置の前記製氷皿に給水されてから離氷するまでの製氷時間は、前記圧縮機の運転積算時間と、ダンパー装置の開時間と、温調ダイヤル設定と、除霜の有無と、扉開閉検知スイッチの開時間と、製氷ユニットを設置する室内の温度検出手段とのいずれかの要素の組み合わせによって補正し決定することを特徴とする冷凍冷蔵庫。
【請求項３】
前記自動製氷装置の前記製氷皿に給水されてから離氷するまでの製氷時間は、前記圧縮機の運転積算時間と、ダンパー装置の開時間と、温調ダイヤル設定と、除霜の有無と、扉開閉検知スイッチの開時間と、製氷ユニットを設置する室内の温度検出手段のいずれかの要素に重みつけ係数をつけて補正し決定することを特徴とする請求項１または２に記載の冷凍冷蔵庫。
【請求項４】
前記自動製氷装置の前記製氷皿に給水されてから離氷するまでの製氷時間は、あらかじめ設定した標準時間に、標準時間が経過した時点で前記圧縮機の運転積算時間と、ダンパー装置の開時間と、温調ダイヤル設定と、除霜の有無と、扉開閉検知スイッチの開時間と、製氷ユニットを設置する室内の温度検出手段のいずれかの要素に重みつけ係数をつけて補正した時間を加算して決定することを特徴とする請求項１から３のいずれか一項に記載の冷凍冷蔵庫。
【請求項５】
前記自動製氷装置の前記製氷皿に給水されてから離氷するまでの製氷時間は、あらかじめ設定した標準時間に標準時間が経過した時点で前記圧縮機の運転積算時間と、ダンパー装置の開時間と、温調ダイヤル設定と、除霜の有無と、扉開閉検知スイッチの開時間と、冷凍室の温度検出手段のいずれかの要素に重みつけ係数をつけて補正した時間を加算して決定し、さらにその後も前記圧縮機の運転積算時間と、ダンパー装置の開時間と、温調ダイヤル設定と、除霜の有無と、扉開閉検知スイッチの開時間と、製氷ユニットを設置する室内の温度検出手段のいずれかの要素に重みつけ係数をつけて補正した時間を加算することを特徴とする請求項１から３のいずれか一項に記載の冷凍冷蔵庫。
【請求項６】
前記自動製氷装置の離氷動作は、任意の製氷時間経過後に、製氷ユニット近傍温度が任意温度以下になった時点で行うことを特徴とする請求項１から５のいずれか一項に記載の冷凍冷蔵庫。
【発明の詳細な説明】
【技術分野】
【０００１】
本発明は自動製氷装置を備えた冷凍冷蔵庫に関するものである。
【背景技術】
【０００２】
近年、製氷皿温度検出手段のない自動製氷装置を備えた冷凍冷蔵庫が主流となってきている（例えば、特許文献１参照）。
【０００３】
図１０は、特許文献１に記載された従来の自動製氷装置を備えた冷凍冷蔵庫を示すものである。図１１は、従来の冷凍冷蔵庫の動作を示すフローチャートである。図１２は、従来の自動製氷装置の動作を示すフローチャートである。
【０００４】
図１０に示すように、冷凍冷蔵庫本体１は外箱２、内箱３、及び外箱２と内箱３間に充填された断熱材４より構成されている。区画壁５により冷凍冷蔵庫本体１の内部を上下に区画し、最上部に冷蔵室６、中央部に切換室７および製氷室８、最下部に冷凍室９を区画形成している。
【０００５】
冷却器１０は冷凍室９の背面に備え冷気を生成し、送風機１１により生成した冷気を強制循環させ冷凍サイクルの一部を形成している。庫内温度検出手段１２は冷凍室９内に設置された庫内温度検出用サーミスタ１３より庫内温度を検出する手段であり、庫内温度判定手段１４は庫内温度検出手段１２の検出した温度が設定温度以上であるかを判定する手段である。圧縮機駆動手段１５は冷凍サイクルの圧縮機１６を動作させる手段である。製氷皿１７は家庭用冷凍冷蔵庫に付設するような場合には、製氷室８の冷気吹き出し口付近にあり、冷却器１０および送風機１１により生成した冷気が直接あたるように設置している。
【０００６】
製氷温度決定手段１８は送風機１１の積算運転時間と、庫内温度検出手段１２の検知温度とから相関関係により製氷皿温度を推定し、この推定した製氷皿温度に基いて製氷完了温度を決定する。給水タンク１９は、家庭用冷凍冷蔵庫に付設するような場合には冷蔵室６に設置する。給水ポンプモータ２０は給水タンク１９から製氷皿１７に水を供給する。離氷機構２１は製氷皿１７をモータにより回転させて、その回転により捻りを加えて離氷させる機能を持つ。尚、離氷機構２１は、プラスチックなどで囲まれた製氷ケース２２内部に構成されている。
【０００７】
また、製氷皿１７の下には、落下した氷を貯めておく貯氷箱２３が配置されている。また、製氷ケース２２からは、貯氷箱２３の氷の量を検知する製氷ケース２２の一部を支点に離氷機構２１のモータに連動して上下に動く検氷レバー２４が貯氷箱２３の上に位置している。離氷機構２１のモータが動き出すと検氷レバー２４が下がり始め一定時間たつと最も下に下がる。さらに離氷機構２１のモータを動かしていると、検氷レバー２４は上がり始め最終的には検氷レバー２４は最初の位置に戻る。その検氷レバー２４が下がって行く間に氷等の障害物に当たると検氷レバー２４はその場で止まるが離氷機構２１のモータは続いて動いている。
【０００８】
そして離氷機構２１のモータが動き始めて一定時間後検氷レバー２４を上げる動作に入った時に連動して検氷レバー２４も上がる。その一連の検氷レバー２４の一連の動作量で氷の量を検知するマイクロスイッチ等よりなる製氷量検知スイッチ２５が製氷ケース２２内にある。また、製氷温度判定手段２６は製氷温度決定手段１８の決定した温度が設定温度以下であるかを判断する。離氷判定手段２７は離氷機構２１のモータの回転により離氷機構２１が製氷皿１７に捻りを加えて離氷させ元の水平位置に戻す一連の動作が終了したかを判断する手段である。製氷量検知手段２８は製氷量検知スイッチ２５の状態を検出する手段で、製氷量判定手段２９は製氷量検知手段２８より貯氷箱２３が満氷状態であるかを判断する手段である。モータ駆動手段３０は製氷温度判定手段２６より離氷機構２１のモータを動作させる手段である。
【０００９】
給水ポンプモータ駆動手段３１は給水ポンプモータ２０を動作させる手段である。
【００１０】
給水タイマ３２は給水ポンプモータ２０が動作している時間をカウントするタイマでタイムアップも判断する。第１タイマ３３は製氷量判定手段２９の状態が満氷でモータ駆動手段３０が離氷機構２１のモータを停止した時よりカウントするタイマでタイムアップも判断する。第２タイマ３４は離氷機構２１のモータが動き出した時からカウントするタイマでタイムアップも判断する。第３タイマ３５は製氷量判定手段２９の状態が貯氷量不足で給水ポンプモータ２０が給水タンク１９から製氷皿１７に水を供給した時よりカウントするタイマでタイムアップも判断する。
【００１１】
以上のように構成された冷凍冷蔵庫における動作について図１１を参照しながら以下その動作を説明する。
【００１２】
最初にステップ１で庫内温度検出手段１２が冷凍室９内部に設置された庫内温度検出用サーミスタ１３より冷凍室内温度を検出する。次に、ステップ２で庫内温度判定手段１４は庫内温度検出手段１２が検出した温度が設定温度より高いかまたは低いかを判断し、高ければステップ３で圧縮機駆動手段１５が圧縮機１６を動作させステップ１へ戻る。しかし、ステップ２で庫内温度が低いと判断すればステップ４に進み圧縮機駆動手段１５で圧縮機１６を停止させステップ１へ戻る。このサイクルを繰り返し庫内冷却を行っている。
【００１３】
次に自動製氷装置について、図１２を参照しながら以下その動作を説明する。
【００１４】
まず最初にステップ１０１で製氷温度決定手段１８が送風機１１の積算運転時間と、庫内温度検出手段１２の検知温度とから相関関係により製氷皿温度を推定し、この推定した製氷皿温度に基いて製氷完了温度を決定する。次に、ステップ１０２で製氷温度判定手段２６はステップ１０１で決定された温度が設定温度より高いか低いかを判断し、高ければステップ１０１に戻り、低ければ製氷が完了したと判断し、ステップ１０３に進みモータ駆動手段３０が離氷機構２１のモータを動作させ、次のステップ１０４で第２タイマ３４をスタートさせる。ステップ１０５では第２タイマ３４一定時間カウントしたかどうかを判断し、タイムアップするまで待機している。
【００１５】
離氷機構２１のモータはこの間も動いておりその動作は、検氷レバー２４が最初に下がり貯氷箱２３の氷に当たり停止もしくは何も当たらずに最下点まで到達し次に上がる動作をしている。製氷量検知スイッチ２４は検氷レバー２４の動作量で氷の量を判断し、氷が多い時はＯＦＦそして氷が少ない時はＯＮの状態になっている。検氷レバー２４の一連の動作が終了すると第２タイマ３４の時間カウントも終了しステップ１０６に進む。ステップ１０６では製氷量検知手段２８が製氷量検知スイッチ２５の状態を検出し、次のステップ１０７で製氷量判定手段２９が、製氷量が少ないと判断すればステップ１０８へと進み離氷動作を行う。
【００１６】
ステップ１０８で離氷判定手段２７は、離氷機構２１のモータにより離氷機構２１が製氷皿１７を回転させて捻りを加え、氷を製氷皿１７より離氷させて元の水平位置に戻す一連の動作が終了したかどうかを判断し、終了したと判断すればステップ１０９に進み、モータ駆動手段３０が離氷機構２１のモータを停止させる。ステップ１１０では給水ポンプモータ駆動手段３１が空の製氷皿１７に水を給水すべく給水ポンプモータ２０を動作させるとともにステップ１１１で給水タイマ３１をスタートさせる。ステップ１１２で給水タイマ３１が一定時間カウントしたかどうかを判断し、タイムアップするまで給水ポンプモータ２０を動作させる。ステップ１１２で給水タイマ３２がタイムアップすると、次のステップ１１３で給水ポンプモータ駆動手段３１は給水ポンプモータ２０を停止させる。
【００１７】
以上で給水が完了し製氷サイクルが終了したので、ステップ１１４に進み第３タイマ３５がタイムアップすると再度ステップ１０１に戻り、以降このサイクルを繰り返し自動的に製氷を行う。ステップ１０７で製氷量判定手段２８により製氷量が多いと判断すればステップ１１４へ進む。ステップ１１５ではモータ駆動手段３０が離氷機構２１のモータを停止させ、ステップ１１６で第１タイマ３３をスタートさせる。ステップ１１７で第１タイマ３３が一定時間カウントしたかどうかを判断し、タイムアップするまで待機する。ステップ１１６で第１タイマ３３がタイムアップするとステップ１０３に戻り再度検氷動作を行う。
【特許文献１】特開２００３−１３０５１９号公報
【発明の開示】
【発明が解決しようとする課題】
【００１８】
しかしながら、上記従来の構成では、送風機の積算運転時間と冷凍室用温度検知センサの検知温度からの相関関係により製氷皿温度を推定させ製氷完了の温度を決定するため、冷凍室の温度から製氷皿の温度を推定するという予測を前提に製氷完了を安全側に設定する必要があり、製氷完了時間は製氷完了を判断するための製氷皿の温度を検知する温度センサを備えたものより長くなり、タイムリーな氷の供給ができないという問題を有していた。
【００１９】
本発明は、上記従来の課題を解決するもので、製氷皿温度検出手段を用いないもので、実使用状態において適正な製氷時間を算出することができる自動製氷装置を備えた冷凍冷蔵庫を提供することを目的とする。
【課題を解決するための手段】
【００２０】
上記従来の課題を解決するために、本発明の自動製氷装置付き冷凍冷蔵庫は、製氷完了を判断するための製氷皿の温度を検知する温度センサを有しないものにおいて、自動製氷装置の製氷皿に給水されてから離氷するまでの製氷時間を、圧縮機の運転積算時間とダンパー装置の開時間と温調ダイヤル設定と除霜の有無と扉開閉検知スイッチの開時間と製氷ユニットを設置する室内の温度検出手段とのいずれかの組み合わせによって補正して決定するものである。
【００２１】
これによって、製氷皿への給水動作から製氷完了までの時間をあらゆる運転状況の中でも決定することができ製氷時間の適正化を行うことができる。
【００２２】
また、本発明の自動製氷装置付き冷凍冷蔵庫は、自動製氷装置の製氷皿に給水されてから離氷するまでの製氷時間を、圧縮機の運転積算時間とダンパー装置の開時間と温調ダイヤル設定と除霜の有無と扉開閉検知スイッチの開時間と製氷ユニットを設置する室内の温度検出手段とのいずれかの組み合わせによって補正し決定することで、ダンパー装置を備えた冷凍冷蔵庫の製氷時間の適正化を行うことができる。
【発明の効果】
【００２３】
本発明の冷凍冷蔵庫は、製氷皿温度検出手段を用いないもので、圧縮機の運転積算時間と温調ダイヤル設定と除霜と扉開閉検知スイッチの開時間と製氷ユニットを設置する室内の温度検出手段とのいずれかの組み合わせによって補正し製氷時間を決定することで製氷時間の適正化を図り、タイムリーな氷を供給することができる自動製氷装置を備えた冷凍冷蔵庫を提供することができる。
【発明を実施するための最良の形態】
【００２４】
請求項１に記載の発明は、外箱と内箱間に断熱材を充墳してなる断熱箱体の庫内を断熱仕切体により区画してなる冷蔵室と野菜室と冷凍室と製氷室と、圧縮機と冷気を生成する冷却器と、生成した冷気を強制循環する送風機と、前記冷凍室の内部に設置された庫内温度を検出する温度検出手段と、温調ダイヤル装置と、扉開閉検知スイッチと、制御装置と前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備え、前記自動製氷装置の前記製氷皿に給水されてから離氷するまでの製氷時間は、前記圧縮機の運転積算時間と、温調ダイヤル設定と、除霜の有無と、扉開閉検知スイッチの開時間と、製氷ユニットを設置する室内の温度検出手段とのいずれかの要素の組み合わせによって補正し決定するものであり、製氷完了を判断するための製氷皿の温度を検知する温度センサを有しないものにおいて、製氷皿への給水動作から製氷完了までの時間をあらゆる運転状況の中でも決定することができ製氷時間の適正化を行うことができる。
【００２５】
請求項２に記載の発明は、外箱と内箱間に断熱材を充墳してなる断熱箱体の庫内を断熱仕切体により区画してなる冷蔵室と野菜室と冷凍室と製氷室と、圧縮機と冷気を生成する冷却器と、生成した冷気を強制循環する送風機と、前記送風機で循環する冷気を調整するダンパー装置と、前記冷凍室の内部に設置された庫内温度を検出する温度検出手段と、温調ダイヤル装置と、扉開閉検知スイッチと、制御装置と前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備え、前記自動製氷装置の前記製氷皿に給水されてから離氷するまでの製氷時間は、前記圧縮機の運転積算時間と、ダンパー装置の開時間と、温調ダイヤル設定と、除霜の有無と、扉開閉検知スイッチの開時間と、製氷ユニットを設置する室内の温度検出手段とのいずれかの要素の組み合わせによって補正し決定するものであり、製氷完了を判断するための製氷皿の温度を検知する温度センサを用いず、ダンパー装置を備えたものにおいて、製氷皿への給水動作から製氷完了までの時間をあらゆる運転状況の中でも決定することができ製氷時間の適正化を行うことができる。
【００２６】
請求項３に記載の発明は、請求項１または２に記載の発明において、前記自動製氷装置の前記製氷皿に給水されてから離氷するまでの製氷時間は、前記圧縮機の運転積算時間と、ダンパー装置の開時間と、温調ダイヤル設定と、除霜の有無と、扉開閉検知スイッチの開時間と、製氷ユニットを設置する室内の温度検出手段のいずれかの要素に重みつけ係数をつけて補正し決定することで、さらに冷凍冷蔵庫の製氷時間の適正化を行うことができる。
【００２７】
請求項４に記載の発明は、請求項１から３のいずれか一項に記載の発明において、前記自動製氷装置の前記製氷皿に給水されてから離氷するまでの製氷時間は、あらかじめ設定した標準時間に、標準時間が経過した時点で前記圧縮機の運転積算時間と、ダンパー装置の開時間と、温調ダイヤル設定と、除霜の有無と、扉開閉検知スイッチの開時間と、製氷ユニットを設置する室内の温度検出手段のいずれかの要素に重みつけ係数をつけて補正した時間を加算して決定することで、標準時間を調整し容易に製氷時間の適正化を行うことができる。
【００２８】
請求項５に記載の発明は、請求項１から３のいずれか一項に記載の発明において、前記自動製氷装置の前記製氷皿に給水されてから離氷するまでの製氷時間は、あらかじめ設定した標準時間に標準時間が経過した時点で前記圧縮機の運転積算時間と、ダンパー装置の開時間と、温調ダイヤル設定と、除霜の有無と、扉開閉検知スイッチの開時間と、冷凍室の温度検出手段のいずれかの要素に重みつけ係数をつけて補正した時間を加算して決定し、さらにその後も前記圧縮機の運転積算時間と、ダンパー装置の開時間と、温調ダイヤル設定と、除霜の有無と、扉開閉検知スイッチの開時間と、製氷ユニットを設置する室内の温度検出手段のいずれかの要素に重みつけ係数をつけて補正した時間を加算することで、冷蔵庫の負荷変動に対し順応できるので、製氷時間の適正化を行うことができる。
【００２９】
請求項６に記載の発明は、請求項１から５のいずれか一項に記載の発明において、前記自動製氷装置の離氷動作は、任意の製氷時間経過後に、製氷ユニット近傍温度が任意温度以下になった時点で行うことで、万が一補正しきれない場合でも、不完全氷が精製されるのを防止することができる。
【００３０】
以下、本発明の実施の形態について、図面を参照しながら説明するが、従来例または先に説明した実施の形態と同一構成について同一符号を付して、その詳細な説明は省略する。尚、この実施の形態によってこの発明が限定されるものではない。
【００３１】
（実施の形態１）
図１は本発明の実施の形態１による自動製氷装置を備えた冷凍冷蔵庫のブロック図である。図２は本発明の実施の形態１による製氷ユニットの斜視図である。図３は本発明の実施の形態１の動作を示すフローチャートである。
【００３２】
図１に示すように、温調ダイヤル装置３９は冷蔵室６の側面に設置し、お客様が冷蔵室６及び冷凍室９内の温度の調節を出来るようにしている。
【００３３】
除霜ヒータ４１は冷却器１０の下部に配置し、定期的に冷却器１０の霜を融かしている。
【００３４】
各扉近傍には、各扉の開閉を検知する冷蔵室扉スイッチ４６、製氷室扉スイッチ４７、冷凍室スイッチ４８があり、扉開時間判定手段４３に信号を出力している。
【００３５】
温度検出手段４５は製氷室８内製氷ユニット６０近傍に設置された庫内温度検出用サーミスタ４４より製氷ユニット６０近傍温度を検出する手段である。
【００３６】
図２に示すように、製氷ユニット６０が製氷室８内上部の区画壁５に固定されている。製氷ユニット６０には、製氷皿６１と温度検出センサ４４と、離氷モータ６２と、着脱可能な製氷皿６１に冷気を導く風路６３を備えている。
【００３７】
以上のように構成された自動製氷装置を備えた冷凍冷蔵庫について、以下動作を図３を用いて説明する。
【００３８】
まず、ステップ１からステップ４およびステップ１０３からステップ１１７は従来通りである。
【００３９】
ステップ２０１で製氷時間決定手段５０が、圧縮機運転積算時間判定手段３８の信号と、温調ダイヤル設定判定手段４０の信号と、除霜の有無判定手段４２の信号と、扉開時間判定手段４３の信号と、温度検出手段４５の信号とから相関関係により製氷時間を決定する。
【００４０】
次に、ステップ２０２で製氷時間判定手段５１はステップ２０１で決定された製氷時間を経過したかを判断し、経過していなければステップ２０１に戻り、経過した時はステップ１０３に進む。
【００４１】
以上のように、本実施の形態では、たとえば、製氷皿１７の衛生性を高めるために製氷皿１７を製氷室内より着脱自在としたものは、その構成上、製氷完了を判断するための製氷皿１７の温度を検知する温度センサを設置することが困難であり、上記仕様のものにおいて、製氷時間の適正化を行うことで、タイムリーな氷を供給することができる。
【００４２】
（実施の形態２）
図４は本発明の実施の形態２による自動製氷装置を備えた冷凍冷蔵庫のブロック図である。図５は本発明の実施の形態２の動作を示すフローチャートである。
【００４３】
図４に示すように、野菜室７と冷蔵室６の背面には冷蔵室用吐出風路６８があり冷蔵室用吐出風路６８内にはダンパ装置６６がある。
【００４４】
冷凍室９内には自動製氷ユニット６０が、冷凍室９内上部の区画壁５に固定されている。
【００４５】
以上のように構成された自動製氷装置を備えた冷凍冷蔵庫について、以下動作を図５を用いて説明する。
【００４６】
まず、ステップ１からステップ４およびステップ１０３からステップ１１７は従来通りである。
【００４７】
ステップ３０１で製氷時間決定手段６４が、圧縮機運転積算時間判定手段３８の信号と、温調ダイヤル設定判定手段４０の信号と、除霜の有無判定手段４２の信号と、扉開時間判定手段４３の信号と、温度検出手段４５の信号と、ダンパー開度率検出手段６７の信号とから相関関係により製氷時間を決定する。
【００４８】
次に、ステップ３０２で製氷時間判定手段５１はステップ３０１で決定された製氷時間を経過したかを判断し、経過していなければステップ３０１に戻り、経過した時はステップ１０３に進む。
【００４９】
以上のように、本実施の形態では、たとえば、製氷皿１７の衛生性を高めるために製氷皿１７を製氷室内より着脱自在としたものは、その構成上、製氷完了を判断するための製氷皿１７の温度を検知する温度センサを設置することが困難であり、上記仕様のものにおいて、製氷時間の適正化を行うことで、タイムリーな氷を供給することができる。
【００５０】
（実施の形態３）
図６は本発明の実施の形態３による自動製氷装置を備えた冷凍冷蔵庫の動作を示すフローチャートである。以下動作を図６を用いて説明する。
【００５１】
まず、ステップ１からステップ４およびステップ１０３からステップ１１７は従来通りである。
【００５２】
ステップ４０１で製氷時間決定手段６４が、圧縮機運転積算時間判定手段３８の信号と、温調ダイヤル設定判定手段４０の信号と、除霜の有無判定手段４２の信号と、扉開時間判定手段４３の信号と、温度検出手段４５の信号と、ダンパー開度率検出手段６７の信号とから（数１）に示すように各項目に重み係数を付加し製氷時間を決定する。
【００５３】
【数１】
2007285641.tif 000003
【００５４】
次に、ステップ４０２で製氷時間判定手段５１はステップ４０１で決定された製氷時間を経過したかを判断し、経過していなければステップ４０１に戻り、経過した時はステップ１０３に進む。
【００５５】
以上のように、本実施の形態では、庫内容量の違うモデルに適用する際、係数を変更することで容易に製氷時間の適正化を行うことが出来る。
【００５６】
（実施の形態４）
図７は本発明の実施の形態４による自動製氷装置を備えた冷凍冷蔵庫の動作を示すフローチャートである。以下動作を図７を用いて説明する。
【００５７】
まず、ステップ１からステップ４およびステップ１０３からステップ１１７は従来通りである。
【００５８】
ステップ５０１で製氷時間決定手段６４が、圧縮機運転積算時間判定手段３８の信号と、温調ダイヤル設定判定手段４０の信号と、除霜の有無判定手段４２の信号と、扉開時間判定手段４３の信号と、温度検出手段４５の信号と、ダンパー開度率検出手段６７の信号とから（数２）に示すように、あらかじめ任意時間に設定した標準製氷時間に各項目に重み係数を付加した補正時間を加算し製氷時間を決定する。
【００５９】
【数２】
2007285641.tif 000004
【００６０】
次に、ステップ５０２で製氷時間判定手段５１はステップ５０１で決定された製氷時間を経過したかを判断し、経過していなければステップ５０１に戻り、経過した時はステップ１０３に進む。
【００６１】
以上のように、本実施の形態では、庫内容量の違うモデルに適用する際、標準時間を変更することで容易に製氷時間の適正化を行うことが出来る。
【００６２】
（実施の形態５）
図８は本発明の実施の形態５による自動製氷装置を備えた冷凍冷蔵庫の動作を示すフローチャートである。以下動作を図８を用いて説明する。
【００６３】
まず、ステップ１からステップ４およびステップ１０３からステップ１１７は従来通りである。
【００６４】
ステップ６０１で製氷時間決定手段６４が、圧縮機運転積算時間判定手段３８の信号と、温調ダイヤル設定判定手段４０の信号と、除霜の有無判定手段４２の信号と、扉開時間判定手段４３の信号と、温度検出手段４５の信号と、ダンパー開度率検出手段６７の信号とから（数３）に示すように、あらかじめ任意時間に設定した標準製氷時間に各項目に重み係数を付加した補正時間を加算し第１製氷時間を決定する。
【００６５】
【数３】
2007285641.tif 000005
【００６６】
次に、ステップ６０２で製氷時間判定手段５１はステップ６０１で決定された製氷時間を経過したかを判断し、経過していなければステップ６０１に戻り、経過した時はステップ６０３に進む。
【００６７】
ステップ６０３では、さらに第１製氷時間が経過する時に変化した圧縮機運転積算時間判定手段３８の信号と、温調ダイヤル設定判定手段４０の信号と、除霜の有無判定手段４２の信号と、扉開時間判定手段４３の信号と、温度検出手段４５の信号と、ダンパー開度率検出手段６７の信号とから（数４）に示すように、各項目に重み係数を付加した補正時間から第２製氷時間を決定する。
【００６８】
【数４】
2007285641.tif 000006
【００６９】
次に、ステップ６０４で製氷時間判定手段５１はステップ６０３で決定された製氷時間を経過したかを判断し、経過していなければステップ６０３に戻り、経過した時はステップ１０３に進む。
【００７０】
以上のように、本実施の形態では、常に冷蔵庫の状態を製氷時間に反映することにより製氷時間の適正化を行うことが出来る。
【００７１】
（実施の形態６）
図９は本発明の実施の形態６による自動製氷装置を備えた冷凍冷蔵庫の動作を示すフローチャートである。以下動作を図９を用いて説明する。
【００７２】
まず、ステップ１からステップ４およびステップ１０３からステップ１１７は従来通りであり、ステップ６０１からステップ６０４は実施の形態５の通りである。
【００７３】
ステップ６０５で、製氷ユニット６０近傍に設置した庫内温度検出用サーミスタ４４の温度が、任意の設定温度と比較して、設定温度以下になれば製氷完了と判断しステップ１０３に進む。
【００７４】
以上のように、本実施の形態では、製氷完了の最終判断を製氷ユニット近傍の温度を確認することで、確実に氷が出来ていることを判別することが出来る。
【産業上の利用可能性】
【００７５】
以上のように、本発明にかかる自動製氷装置を備えた冷凍冷蔵庫は、製氷皿への給水動作から製氷完了までの時間を、圧縮機の運転積算時間と、ダンパー装置の開時間と、温調ダイヤル設定と、除霜の有無と、扉開閉検知スイッチの開時間と、冷凍室の温度検出手段とのいずれかの要素の組み合わせによって補正して決定することで製氷時間の適正化を行い、タイムリーな氷を供給することが可能となるので、製氷皿の温度を検知するセンサを製氷皿に付設できない製氷皿脱着可能な自動製氷装置およびこの装置を備えた冷却機器等の用途にも利用できる。
【図面の簡単な説明】
【００７６】
【図１】本発明の実施の形態１における自動製氷装置およびこの装置を備えた冷凍冷蔵庫のブロック図
【図２】本発明の実施の形態１における製氷ユニットの斜視図
【図３】本発明の実施の形態１の動作を示すフローチャート
【図４】本発明の実施の形態２における自動製氷装置およびこの装置を備えた冷凍冷蔵庫のブロック図
【図５】本発明の実施の形態２の動作を示すフローチャート
【図６】本発明の実施の形態３の動作を示すフローチャート
【図７】本発明の実施の形態４の動作を示すフローチャート
【図８】本発明の実施の形態５の動作を示すフローチャート
【図９】本発明の実施の形態６の動作を示すフローチャート
【図１０】従来の自動製氷装置およびこの装置を備えた冷凍冷蔵庫のブロック図
【図１１】従来の冷凍冷蔵庫の動作を示すフローチャート
【図１２】従来の自動製氷装置の動作を示すフローチャート
【符号の説明】
【００７７】
１    冷蔵庫本体
２    外箱
３    内箱
４    断熱材
５    区画壁
６    冷蔵室
７    切換室
８    製氷室
９    冷凍室
１０  冷却器
１１  送風機
１２  庫内温度検出手段
１３  庫内温度検出用サーミスタ
１９  給水タンク
２０  給水ポンプモータ
２３  貯氷箱
２４  検氷レバー
３９  温調ダイヤル装置
４４  庫内温度検出用サーミスタ
４６  扉開閉検知スイッチ
４７  扉開閉検知スイッチ
４８  扉開閉検知スイッチ
６０  製氷ユニット
６１  製氷皿
６２  離氷モータ
【図１】
2007285641.tif 000007
【図２】
2007285641.tif 000008
【図３】
2007285641.tif 000009
【図４】
2007285641.tif 000010
【図５】
2007285641.tif 000011
【図６】
2007285641.tif 000012
【図７】
2007285641.tif 000013
【図８】
2007285641.tif 000014
【図９】
2007285641.tif 000015
【図１０】
2007285641.tif 000016
【図１１】
2007285641.tif 000017
【図１２】
2007285641.tif 000018